(57)【要約】      （修正有）【課題】視聴者が放送受信装置において番組視聴制限設定を変更したときに、視聴制限すべき番組タイトルが、視聴者の変更を反映した、番組メニュー表示を提供する。【解決手段】個別ＩＤと、個別ＩＤ毎の番組視聴制限設定情報を記憶する記憶手段１１１，１１２と、記憶した個別ＩＤと番組視聴制限設定情報とを送信する送信手段１１３と、個別ＩＤを別途送信し、別途送信した個別ＩＤに対応した番組メニューを受信する番組メニュー受信手段１１４と、からなる放送受信装置。【選択図】図１
2011146958.tif 000002
【特許請求の範囲】
【請求項１】
個別ＩＤと、前記個別ＩＤ毎の番組視聴制限設定情報を記憶する記憶手段と、
前記記憶した個別ＩＤと番組視聴制限設定情報とを送信する送信手段と、
前記個別ＩＤを別途送信し、前記別途送信した個別ＩＤに対応した番組メニューを受信する番組メニュー受信手段と、
からなる放送受信装置。
【請求項２】
個別ＩＤと、前記個別ＩＤ毎の番組視聴制限設定情報とを受信する受信手段と、
前記受信した個別ＩＤと番組視聴制限設定情報とを記憶する個別ＩＤ毎番組視聴制限設定情報記憶手段と、
該別途受信した個別ＩＤと、前記記憶した個別ＩＤと番組視聴制限設定情報とに基づき、該別途受信した個別ＩＤに対応した番組メニューを生成する個別ＩＤ毎番組メニュー生成手段と、
前記個別ＩＤを別途受信し、前記別途受信した個別ＩＤに対応した前記番組メニューを送信する個別ＩＤ毎番組メニュー送信手段と、
からなる放送送信装置。
【請求項３】
個別ＩＤと、前記個別ＩＤ毎の番組視聴制限設定情報を記憶するステップと、
前記記憶した個別ＩＤと番組視聴制限設定情報とを送信するステップと、
前記個別ＩＤを別途送信し、前記別途送信した個別ＩＤに対応した番組メニューを受信し表示するステップと、
からなる個別ＩＤ毎番組メニュー表示方法。
【請求項４】
個別ＩＤと、前記個別ＩＤ毎の番組視聴制限設定情報とを受信するステップと、
前記受信した個別ＩＤと番組視聴制限設定情報とを記憶するステップと、
該別途受信した個別ＩＤと、前記記憶した個別ＩＤと番組視聴制限設定情報とに基づき、該別途受信したＩＤに対応した番組メニューを生成するステップと、
前記個別ＩＤを別途受信し、前記別途受信した個別ＩＤに対応した前記番組メニューを送信するステップと、
からなる個別ＩＤ毎番組メニュー生成方法。
【発明の詳細な説明】
【技術分野】
【０００１】
本発明は、例えばケーブルテレビ双方向通信網を用いて実現するＶＯＤ（ビデオ・オン・デマンド）サービス等において、視聴者が放送受信装置側で番組視聴制限を設定したとき、その番組視聴制限の設定と放送受信装置の個別ＩＤとを放送送信装置側に送信することによって、放送送信装置から送信される番組メニューに、視聴者が設定した番組視聴制限を反映させる技術に関する。
【背景技術】
【０００２】
放送受信装置において、視聴者が放送受信装置側で番組視聴制限を設定することは、デジタル放送の市場においては広く実現されている。デジタルテレビのリモコン操作により視聴者が番組視聴可能年齢を設定すると、放送受信装置は、デジタル放送に多重して送信された番組毎の視聴制限情報を受信し、受信した番組視聴制御情報と、視聴者が設定した番組視聴可能年齢とを比較し、視聴制限すべき番組に該当すると判断すれば、その番組を視聴できないように処理することができる。
【０００３】
また、ケーブルテレビでの実施例として、放送送信装置において、番組情報をケーブルテレビの送信帯域に分散化させ、放送コンテンツと周波数多重するとともに、視聴者毎または契約形態毎に、提供する番組情報をカスタム化して送信することも可能である（特許文献１）。
【０００４】
また、番組視聴制限を行なうシステムの実施例として、番組視聴制限に関する規格が適用されていない放送であっても、放送受信装置側において番組視聴制限情報を付加し、その番組視聴制限情報に基づいて、番組の出力を制限するように構成することも可能である（特許文献２）。
【０００５】
また、録画代行を行なうシステムの実施例として、放送送信装置から同時に送信される複数のコンテンツをユーザに代わって受信し、データデポジトリ（ｄｅｐｏｓｉｔｏｒｙ、保管場所）で保管するとともに、保管されているコンテンツの任意の時点での利用を可能にするレンタル・データデポジトリシステムを構成することも可能である（特許文献３）。
【先行技術文献】
【特許文献】
【０００６】
【特許文献１】特開２００６−０６０５７５号公報
【特許文献２】特開２００６−１８６９８１号公報
【特許文献３】特開２００４−３２８３８２号公報
【発明の概要】
【発明が解決しようとする課題】
【０００７】
しかしながら、従来の技術は、特許文献１〜３を含めて、放送受信装置から放送送信装置に番組視聴制限の設定を、放送受信装置を特定しうる情報とともに送信する送信手段を具備しておらず、また放送送信装置においても、視聴者毎の番組視聴制限の設定を反映した番組メニューを生成したり特定の放送受信装置に視聴者毎の視聴制限の設定を反映した番組メニューを送信したりしうる手段を具備していない。
【０００８】
そのため、契約時に決められた番組視聴制限設定を視聴者毎に反映させることは従来の技術において実現することはできるが、視聴者が放送受信装置を操作することで設定した番組視聴制限を放送送信装置に反映することができず、例えば視聴者が放送受信装置において番組視聴制限設定を変更しても、番組メニュー表示においては、視聴制限すべき番組タイトル（例えばアダルト・コンテンツ）が、視聴者の放送受信装置の番組視聴制限設定の変更を反映しないまま表示されてしまう課題があった。
【０００９】
本発明は、契約者が放送受信装置を操作することによって番組視聴制限設定が変更された場合であっても、新たに変更された番組視聴制限設定を反映した番組メニューを送受信できるようにした放送受信装置と放送送信装置とからなる放送送受信装置を提供することを目的とする。
【課題を解決するための手段】
【００１０】
本発明の放送受信装置は、個別ＩＤと、前記個別ＩＤ毎の番組視聴制限設定情報を記憶する記憶手段と、前記記憶した個別ＩＤと番組視聴制限設定情報とを送信する送信手段と、前記個別ＩＤを別途送信し、前記別途送信した個別ＩＤに対応した番組メニューを受信する番組メニュー受信手段と、から構成されている。
【００１１】
また、本発明の放送送信装置は、個別ＩＤと、前記個別ＩＤ毎の番組視聴制限設定情報とを受信する受信手段と、前記受信した個別ＩＤと番組視聴制限設定情報とを記憶する個別ＩＤ毎番組視聴制限設定情報記憶手段と、該別途受信した個別ＩＤと前記記憶した個別ＩＤと番組視聴制限設定情報とに基づき、該別途受信した個別ＩＤに対応した番組メニューを生成する個別ＩＤ毎番組メニュー生成手段と、前記個別ＩＤを別途受信し、前記別途受信した個別ＩＤに対応した前記番組メニューを送信する個別ＩＤ毎番組メニュー送信手段と、から構成されている。
【００１２】
本発明の放送送受信装置によれば、視聴者の操作により番組視聴制限設定が変更された場合でも、その変更内容を反映した番組メニューを送受信できるので、放送受信装置において、視聴制限すべき番組タイトルが視聴者の番組視聴制限設定の変更を反映しないまま番組メニュー表示されることがなく、視聴者の嗜好に沿った番組メニュー表示を行うことが可能である。
【発明の効果】
【００１３】
本発明の放送送受信装置によれば、視聴者の操作により番組視聴制限設定が変更された場合でも、その変更内容を反映した番組メニューを送受信できるので、放送受信装置において、視聴制限すべき番組タイトルが視聴者の番組視聴制限設定の変更を反映しないまま番組メニュー表示されることがなく、視聴者の嗜好に沿った番組メニュー表示を行うことが可能である。
【図面の簡単な説明】
【００１４】
【図１】本発明の実施例１に係わる放送送受信装置のブロック図
【図２】本発明の実施例１に係わる個別ＩＤ毎の視聴制限設定情報の流れを示す図
【図３】本発明の実施例１に係わる個別ＩＤ毎の番組メニュー表示の流れを示す図
【発明を実施するための形態】
【００１５】
本発明の放送送受信装置について、以下に図面を参照しながら説明する。
【００１６】
なお、本実施例において同じ符号を付した構成要素が同様の動作を行う場合には、再度の説明を省略する場合がある。
【実施例１】
【００１７】
本発明の実施例１に係わる放送送受信装置のブロック図の一例を図１に示す。
【００１８】
図１の放送送受信装置は、放送受信装置１０１、放送送信装置１０２、ケーブルテレビ双方向通信網１０３とから構成されている。
【００１９】
放送受信装置１０１は、さらに、個別ＩＤ記憶手段１１１、番組視聴制限設定情報記憶手段１１２、送信手段１１３、番組メニュー受信手段１１４とから構成されている。
【００２０】
放送送信装置１０２は、さらに、受信手段１２１、個別ＩＤ毎番組視聴制限設定情報記憶手段１２２、個別ＩＤ毎番組メニュー生成手段１２３、個別ＩＤ毎番組メニュー送信手段１２４とから構成される。
【００２１】
次に、放送送受信装置の動作について説明する。
【００２２】
放送受信装置１０１は、視聴者の使用場所に設置されるものであり、個別ＩＤ記憶手段１１１により、視聴者がどの端末を用いているかを識別することができるようになっている。さらに、例えばリモコンなどの手段を用いることにより番組視聴制限を設定することができ、この番組視聴制限設定は番組視聴制限設定情報記憶手段１１２に記憶される。個別ＩＤ記憶手段１１１から読み出された個別ＩＤと、番組視聴制限設定情報記憶手段１１２から読み出された番組視聴制限設定は、送信手段１１３を介して、個別ＩＤ毎の番組視聴制限設定情報として、ケーブルテレビ双方向通信網１０３を経由し、放送送信装置１０２に送られる。
【００２３】
放送送信装置１０２では、受信手段１２１により、放送受信装置１０１から送られてくる個別ＩＤ毎の番組視聴制限設定情報が受信される。
【００２４】
受信された個別ＩＤ毎の番組視聴制限設定情報は、個別ＩＤ毎番組視聴制限設定情報記憶手段１２２に送られて記憶される。ここで記憶された個別ＩＤ毎の番組視聴制限設定情報は、個別ＩＤ毎番組メニュー生成手段１２３に送られ、視聴者により設定された番組視聴制限に基づいた番組メニューが生成される。生成された個別ＩＤ毎の番組メニューは、個別ＩＤ毎番組メニュー送信手段１２４に送られ、さらにケーブルテレビ双方向通信網１０３を介して、放送受信端末１０１に送られ、番組メニュー受信手段１１４により受信し表示される。
【００２５】
図２は、本発明の実施例１に係わる個別ＩＤ毎の番組視聴制限設定情報の流れを示している。
【００２６】
放送受信装置１０１では、個別ＩＤ記憶手段１１１から個別ＩＤと、番組視聴制限設定情報記憶手段１１２から視聴者が設定した番組視聴制限設定情報とが送信手段１１３を介して放送送信装置１０２に送られる。
【００２７】
放送送信装置１０２においては、受信手段１２１において、個別ＩＤ毎の番組視聴制限設定情報が受信される。受信された個別ＩＤ毎の番組視聴制限設定情報は、個別ＩＤ毎番組視聴制限設定情報記憶手段１２２において個別ＩＤ毎に記憶され、個別ＩＤ毎番組メニュー生成手段１２３から別途送信される個別ＩＤに対応した視聴制限設定情報が個別ＩＤ毎番組メニュー生成手段１２３に読み出されるように構成されている。
【００２８】
図３は、本発明の実施例１に係わる個別ＩＤ毎の番組メニュー表示の流れを示している。
【００２９】
放送受信装置１０１における個別ＩＤ記憶手段１１１から読み出された個別ＩＤは、番組メニュー受信手段１１４から、ケーブルテレビ双方向通信網１０３を介して、放送送信装置１０２における個別ＩＤ毎番組メニュー送信手段１２４に送られる。個別ＩＤ毎番組メニュー送信手段１２４に送られた個別ＩＤは、さらに個別ＩＤ毎番組メニュー生成手段１２３に送られる。個別ＩＤ毎番組メニュー生成手段１２３は、個別ＩＤ毎番組メニュー送信手段１２４に送られた個別ＩＤに対応した視聴制限設定情報を個別ＩＤ毎番組視聴制限設定情報記憶手段１２２から読み出し、該個別ＩＤに対応した番組メニューを生成し、個別ＩＤ毎番組メニュー送信手段１２４に送る。該個別ＩＤに対応した番組メニューは、個別ＩＤ毎番組メニュー送信手段１２４からケーブルテレビ双方向通信網１０３を介して、放送受信装置１０１における番組メニュー受信手段１１４に送られて、視聴者に表示される。
【００３０】
なお、実施例１の図１〜図３で説明した各手段は、電子回路によるハードウェアとして実現しても良いし、各手段の機能を実現するＲＯＭに記録されたソフトウェアをＭＰＵがメモリ上で実行することで実現してもよい。ＲＯＭは、書き換え可能な不揮発性記録媒体が好適であるが、揮発性の記録媒体であっても実現可能である。
【００３１】
さらに、本発明は以上の各実施形態に限定されることなく、本発明の範囲内で、装置の構成を種々変更することが可能である。
【００３２】
本発明の放送送受信装置によれば、視聴者の操作により番組視聴制限設定が変更された場合でも、その変更内容を反映した番組メニューを送受信できるので、放送受信装置において、視聴制限すべき番組タイトルが視聴者の番組視聴制限設定の変更を反映しないままメニュー表示されることがなく、視聴者の嗜好に沿った番組メニュー表示を行うことが可能である。
【産業上の利用可能性】
【００３３】
本発明は、視聴者の操作によって番組視聴制限設定が変更された場合でも、その変更内容を反映した番組メニュー表示を実現することができ、視聴者の嗜好に沿った放送送受信装置として有用である。
【符号の説明】
【００３４】
１０１    放送受信装置
１０２    放送送信装置
１０３    ケーブルテレビ双方向通信網
１１１    個別ＩＤ記憶手段
１１２    番組視聴制限設定情報記憶手段
１１３    送信手段
１１４    番組メニュー受信手段
１２１    受信手段
１２２    個別ＩＤ毎番組視聴制限設定情報記憶手段
１２３    個別ＩＤ毎番組メニュー生成手段
１２４    個別ＩＤ毎番組メニュー送信手段
【図１】
2011146958.tif 000003
【図２】
2011146958.tif 000004
【図３】
2011146958.tif 000005